【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
異なる種類の像域が混在する画像から像域を抽出する画像処理方法であって、
注目画素が周囲の画素から孤立している程度を示す孤立量を算出する算出ステップと、
サイズが異なる複数の領域において前記孤立量を積算する積算ステップと、
前記複数の領域ごとに設定した閾値と、前記積算の結果を比較して、注目画素が網点領域に属するか否かを判定する判定ステップとを有することを特徴とする画像処理方法。
【請求項２】
前記算出ステップは、複数のマッチングパターンを用いて、前記複数のマッチングパターンごとに前記孤立量を二値として算出することを特徴とする請求項1に記載された画像処理方法。
【請求項３】
前記算出ステップは、複数のマッチングパターンを用いて、前記複数のマッチングパターンごとに前記孤立量を多値として算出することを特徴とする請求項1に記載された画像処理方法。
【請求項４】
前記複数のマッチングパターンは前記網点領域の線数を考慮して設定することを特徴とする請求項2または請求項3に記載された画像処理方法。
【請求項５】
前記判定ステップは、前記複数の領域ごとの判定結果を論理演算して、前記注目画素の判定結果にすることを特徴とする請求項1から請求項4の何れか一項に記載された画像処理方法。
【請求項６】
さらに、注目画素の値と、前記注目画素の周囲の画素の値の二次微分値を使用して、前記注目画素が文字領域に含まれるか否かを判定する文字領域判定ステップを有することを特徴とする請求項1から請求項5の何れか一項に記載された画像処理方法。
【請求項７】
異なる種類の像域が混在する画像から像域を抽出する画像処理装置であって、
注目画素が周囲の画素から孤立している程度を示す孤立量を算出する算出手段と、
サイズが異なる複数の領域において前記孤立量を積算する積算手段と、
前記複数の領域ごとに設定した閾値と、前記積算の結果を比較して、注目画素が網点領域に属するか否かを判定する判定手段とを有することを特徴とする画像処理装置。
【請求項８】
コンピュータに読み込まれ実行されることで、請求項1から請求項6の何れか一項に記載された画像処理を実現することを特徴とするプログラム。
【請求項９】
請求項8に記載されたプログラムが記録されたことを特徴とするコンピュータが読み取り可能な記録媒体。
【手続補正２】
【補正対象書類名】明細書
【補正対象項目名】０００９
【補正方法】変更
【補正の内容】
【０００９】
本発明にかかる画像処理は、異なる種類の像域が混在する画像から像域を抽出する際に、注目画素が周囲の画素から孤立している程度を示す孤立量を算出し、サイズが異なる複数の領域において前記孤立量を積算し、前記複数の領域ごとに設定した閾値と、前記積算の結果を比較して、注目画素が網点領域に属するか否かを判定することを特徴とする。
【手続補正３】
【補正対象書類名】明細書
【補正対象項目名】００３７
【補正方法】変更
【補正の内容】
【００３７】
二値化処理部401によって画素ごとに得られる二値化信号は、1×1孤立量算出部411、2×2孤立量算出部412、3×3孤立量算出部413、4×4孤立量算出部414に入力される。孤立量算出部411〜414は、二値化処理の結果を用いて、注目画素がどの程度孤立しているかを判断する。
【手続補正４】
【補正対象書類名】明細書
【補正対象項目名】００４７
【補正方法】変更
【補正の内容】
【００４７】
次に、図2に示す文字判定部206は、網点判定部204が出力する網点信号AMI、および、エッジ判定部205が出力するエッジ信号EDGEを入力して、AMI=‘0’かつEDGE=‘1’である画素を示す文字信号MOJIを出力する。
【手続補正５】
【補正対象書類名】明細書
【補正対象項目名】００４９
【補正方法】変更
【補正の内容】
【００４９】
入力信号（カラー画像信号）201は、色空間変換回路802に入力されて例えばLab信号に変換される。色判定回路804は、Lab信号を入力して色判定信号COLを出力する。
【手続補正６】
【補正対象書類名】明細書
【補正対象項目名】００５３
【補正方法】変更
【補正の内容】
【００５３】
式(3)で算出した各画素のab値を直交座標系にマッピングし、その画素が有彩色か無彩色かを判定する。図6はa*b*平面を表す図で、有彩色か無彩色かを例えば彩度を基準に判定する場合、a*軸とb*軸の交点、つまり原点は色成分がゼロの点であり、原点から離れる（a*および/またはb*の値が大きくなる）に連れて彩度は大きくなる。従って、原点からの距離を示す閾値を設定して有彩色か無彩色かを判定すればよい。つまり、図6に示す斜線部903を無彩色の領域と仮定すると、ある画素のab値が、斜線部903の内側の点904にあれば当該画素を無彩色と判定し、斜線部903の外側の点905にあれば当該画素は有彩色と判定すればよい。
【手続補正７】
【補正対象書類名】明細書
【補正対象項目名】０１１２
【補正方法】変更
【補正の内容】
【０１１２】
図23に示す状態の、注目画素2101を中心とするOR処理信号を、9×9画素領域2102、15×15画素領域2103、21×21画素領域2104それぞれにおいて積算（OR処理信号=‘1’の画素をカウント）すると、その結果は次のようになる。
9×9画素領域2102は12画素
15×15画素領域2103は40画素
21×21画素領域2104は76画素
【手続補正８】
【補正対象書類名】明細書
【補正対象項目名】０１１３
【補正方法】変更
【補正の内容】
【０１１３】
閾値判定部2021〜2023は、領域内のOR処理信号=‘1’の画素の面積が例えば5%を超える場合は注目画素2101は網点領域にあり、例えば5%以下の場合は注目画素2101は網点領域にはないと判定する。従って、各積算エリアを網点領域と判定する閾値は次のようになる。
9×9画素領域の閾値は 5画素以上
15×15画素領域の閾値は12画素以上
21×21画素領域の閾値は23画素以上
【手続補正９】
【補正対象書類名】明細書
【補正対象項目名】０１１４
【補正方法】変更
【補正の内容】
【０１１４】
従って、上記の積算結果は次のように判定される。
9×9画素領域2102は12画素＞ 5画素  →  網点領域
15×15画素領域2103は40画素＞12画素  →  網点領域
21×21画素領域2104は76画素＞23画素  →  網点領域
【手続補正１０】
【補正対象書類名】明細書
【補正対象項目名】０１１８
【補正方法】変更
【補正の内容】
【０１１８】
図25に示す状態の、注目画素2101を中心とするOR処理信号を、図23の説明と同様に、各積算エリア2102〜2104それぞれにおいて積算すると、その結果は次のようになる。
9×9画素領域2102は 4画素
15×15画素領域2103は32画素
21×21画素領域2104は60画素
【手続補正１１】
【補正対象書類名】明細書
【補正対象項目名】０１１９
【補正方法】変更
【補正の内容】
【０１１９】
従って、閾値判定部2021〜2023の判定結果は次のようになる。
9×9画素領域2102は 4画素＜ 5画素  →  非網点領域
15×15画素領域2103は32画素＞12画素  →  網点領域
21×21画素領域2104は60画素＞23画素  →  網点領域
【手続補正１２】
【補正対象書類名】明細書
【補正対象項目名】０１２１
【補正方法】変更
【補正の内容】
【０１２１】
このように、一つの積算エリア（この場合は9×9画素領域2102）の判定結果は非網点領域になる。言い換えれば、文字や線画を含む網点領域は、積算エリアのサイズや閾値によって非網点領域と判定されることがある。そこで、サイズが異なる複数の積算エリアと、それぞれ異なる閾値を用いることで、文字や線画を含む網点領域を、正しく網点領域として検出することができる。
【手続補正１３】
【補正対象書類名】明細書
【補正対象項目名】０１２３
【補正方法】変更
【補正の内容】
【０１２３】
図26に示す状態の、注目画素2101を中心とするOR処理信号を、図23の説明と同様に、各積算エリア2102〜2104それぞれにおいて積算すると、その結果は次のようになる。
9×9画素領域2102は 0画素
15×15画素領域2103は12画素
21×21画素領域2104は20画素
【手続補正１４】
【補正対象書類名】明細書
【補正対象項目名】０１２４
【補正方法】変更
【補正の内容】
【０１２４】
従って、閾値判定部2021〜2023の判定結果は次のようになる。
9×9画素領域2102は 0画素＜ 5画素  →  非網点領域
15×15画素領域2103は12画素＝12画素  →  網点領域
21×21画素領域2104は20画素＜23画素  →  非網点領域
【手続補正１５】
【補正対象書類名】明細書
【補正対象項目名】０１２５
【補正方法】変更
【補正の内容】
【０１２５】
網点判定部2031は、図24に示す論理演算を行い、9×9画素領域2102と15×15画素領域2103の組の論理積の結果は‘0’、15×15画素領域2103と21×21画素領域2104の組の論理積の結果も‘0’だから、論理和の結果、網点信号=‘0’になる。
【手続補正１６】
【補正対象書類名】明細書
【補正対象項目名】０１３５
【補正方法】変更
【補正の内容】
【０１３５】
孤立量判定部2605は、内エッジ信号について、実施例1と同様に複数のパターンを用いてパターンマッチングを行い、網点ドットを検出する。